(57)【要約】【課題】            従来、専用の喫煙所として、内部から外部へ排出される空気も完全にヤニや臭い、そしてニコチン成分を除去して、その外部の環境をクリーンな状態に保持することができるものは存在しなかったという点である。【解決手段】喫煙ボックスは少なくとも一面に開閉扉を備えたボックス本体を有し、そのボックス本体の上部に吸気ファンを設け、床板の下方に排気ファンと少なくとも含水フィルターを設け、その含水フィルターを通過したボックス内の空気を外部へ排出する排気口を備えていることとする。【選択図】          図５
2007182723.tif 000002
【特許請求の範囲】
【請求項１】
少なくとも一面に開閉扉を備えたボックス本体を有し、そのボックス本体の上部に吸気ファンを設け、床板の下方に排気ファンと少なくとも含水フィルターを設け、その含水フィルターを通過したボックス内の空気を外部へ排出する排気口を備えていることを特徴とする喫煙ボックス。
【請求項２】
前記ボックス内には着脱可能な灰皿と一以上の椅子、テーブルを備えていることを特徴とする請求項１に記載の喫煙ボックス。
【請求項３】
前記した吸気ファンは天面部に配し、その吸気ファンの下部に吸引した外気を拡散させる拡散板を備えていることを特徴とする請求項１または請求項２に記載の喫煙ボックス。
【請求項４】
前記した排気ファンはシロッコファンとし、含水フィルターは含水させたスポンジを用い、この含水させたスポンジはパックしたものとして交換可能としてあることを特徴とする請求項１、請求項２または請求項３に記載の喫煙ボックス。
【請求項５】
前記した含水させたスポンジには臭気を除斥する香料を含ませてあることを特徴とする請求項４に記載の喫煙ボックス。
【請求項６】
前記した含水フィルターの一次側には竹製パイプを並設させた竹製フィルターを備えていることを特徴とする請求項１、請求項２、請求項３、請求項４または請求項５に記載の喫煙ボックス。
【発明の詳細な説明】
【技術分野】
【０００１】
本発明は喫煙ボックス、特に公園や路上等に設置して、喫煙場所を提供するとともに、その室内からの排気も浄化して、その周辺での受動喫煙をはじめ、臭いも除去してクリーンな環境を保持することが可能な喫煙ボックスに関する。
【背景技術】
【０００２】
近時、喫煙は受動喫煙等の悪影響等から禁止される施設や場所が多くなっている。そこで、施設内にあっては専用の喫煙エリア、喫煙室を設けることもあるが、その設備のほとんどは灰皿と排気装置特にフィルターを介しての排気ファンがある程度で前記した喫煙エリアや喫煙室は煙が充満された状態となってしまい、その周囲にもその煙が漏れ、あるいは排気されて、臭いも立ち込めて環境的に悪い状態となってしまうことが多かった。
【特許文献１】特開平７−３１７３４２号公報
【特許文献２】特開２００４−８５０２３号公報
【発明の開示】
【発明が解決しようとする課題】
【０００３】
本発明が解決しようとする問題点は従来、専用の喫煙所として、内部から外部へ排出される空気も完全にヤニや臭い、そしてニコチン成分を除去して、その外部の環境をクリーンな状態に保持することができるものは存在しなかったという点である。
【課題を解決するための手段】
【０００４】
上記した問題点を解決するために、本発明に係る喫煙ボックスは少なくとも一面に開閉扉を備えたボックス本体を有し、そのボックス本体の上部に吸気ファンを設け、床板の下方に排気ファンと少なくとも含水フィルターを設け、その含水フィルターを通過したボックス内の空気を外部へ排出する排気口を備えていることを特徴とし、前記ボックス内には着脱可能な灰皿と一以上の椅子、テーブルを備えていることを特徴としている。
【０００５】
また、本発明に係る喫煙ボックスは前記した吸気ファンは天面部に配し、その吸気ファンの下部に吸引した外気を拡散させる拡散板を備えていることを特徴としている。
【０００６】
さらに、本発明に係る喫煙ボックスは前記した排気ファンはシロッコファンとし、含水フィルターは含水させたスポンジを用い、この含水させたスポンジはパックしたものとして交換可能としてあることを特徴とし、前記した含水させたスポンジには臭気を除斥する香料を含ませてあることを特徴とし、前記した含水フィルターの一次側には竹製パイプを並設させた竹製フィルターを備えていることを特徴としている。
【発明の効果】
【０００７】
本発明に係る喫煙ボックスは上記のように構成されている。そのため、ボックス本体内には吸気ファンによって外気が導入されボックス本体内の気圧が外気よりやや高くされていく。この作用により、ボックス内の空気は自然に下方へ押されていき、床板の下方にある排気ファンの作用と共にボックス内の空気の流れを促進する。
【０００８】
また、床板の下方にある含水フィルターは導入されてきた煙混じりの空気中からニコチン成分を溶解し、加えて香料によって排気中の臭いも除去することとなる。さらに、含水フィルターの一次側に竹製パイプのフィルターを備えたことで空気中のヤニ成分を付着させ除去することでボックス外への排気はほぼ完璧にクリーンな状態とする事ができることとなっている。
【発明を実施するための最良の形態】
【０００９】
図として示す実施例のように構成することで実現した。
【実施例１】
【００１０】
次に、本発明の好ましい実施の一例を図面を参照して説明する。図１は本発明を実施した喫煙ボックスを示す正面図、図２は同じく天面部分を示す平面図、図３は同じく断面図、図４は同じくボックス本体内の断面平面図、図５は同じくボックス本体内の縦断面図、図６は同じく下方部分の平面図である。
【００１１】
これらの図にあって１はボックス本体を示している。このボックス本体１は本実施例にあっては縦長の直方体形状としてあるが、特にこの形状にこだわるものではなく円筒状等であってもよい。このボックス本体１は正面に開閉扉２が設けられており、この実施例にあって開閉扉２は観音開きのものとしてあるが、中折れ式、あるいは一方縁を支軸とする一枚扉であってもよく、その開閉扉２には内部が透視できるようガラスが嵌め付けられている。
【００１２】
また、ボックス本体１の上部には天板３が設けられ、その天板３の中央部位には透孔が形成され、その透孔に上端に吸気ファン４を備えた外気の導入筒５が嵌装されて備えられている。この吸気ファン４は通常の排気ファンの取り付け方向を逆にして取り付けても、あるいは羽根体の捻り方向性を変更することによっても構成することができる。
【００１３】
前記した天板３の透孔縁は下方に向けて垂直に屈折され、その垂直壁にはボックス本体１内へ外気を送る窓孔６、６‥が複数穿設されており、さらに垂直壁の下端は水平方向に屈折されて送り込まれる外気を拡散させる拡散板７とされている。
【００１４】
さらに、前記した天板３の外縁上には裁頭台形状としたカバー８が固着されており、このカバー８の各壁面には吸気口９、９‥が形成され、この吸気口９、９‥は吸気ファン４による外気の吸引がカバー８内の上方へ向かうよう複数枚の仕切り板９ａ、９ａ‥を上方へ向けたテーパ状としてあり、その内面にフィルター９ｂ、９ｂを設けてある。
【００１５】
そして、ボックス本体１内には底部より一段高くし、火災防止のためアルミニウム等の金属板を用いた床板１０が設けられている。前記した開閉扉２を開けると向かって左側には水を入れ、着脱可能とした灰皿１１が備えられ、荷物等を置くためのテーブル１２、１２が備えられているもので、このテーブル１２、１２は後述する椅子と同様に支持体１２ａ、１２ａを操作することで折り畳む事も可能となっている。また、このテーブル１２、１２に対応させて支持体１３ａ、１３ａで折り畳みを可能とした椅子１３、１３も備えられ、椅子１３、１３の折り畳み方向は上下方向に任意に設定できる。更に、実施例ではテーブル１２、１２、椅子１３、１３を二人用として示しているがこれは一つづつとして一人用とすることも勿論可能である。
【００１６】
また、前記した床板１０の下方には排気室１４が形成されている。この排気室１４は前記した椅子１３の下方位置でボックス本体１内の空気が送り込まれる受入部１４ａが立設され、その受入部１４ａの内面側には前面にフィルター１５ａを設けた受入口１５が形成されている。
【００１７】
前記した排気室１４にあって受入部１４ａの下端部分には排気ファンとしてのシロッコファン１６の一部が臨まされている。１７はシロッコファン１６の駆動モータである。シロッコファン１６のカバーと床板１０の間にはテーパ状の仕切りガイド板１８が設けられシロッコファン１６により導入された排気の通路が形成されている。
【００１８】
また、排気室１４内で、仕切りガイド板１８の終端部分には含水フィルター１９、具体的には水を含ませたスポンジが備えられ、この含水フィルター１９の一次側には短尺とした竹製パイプを密に二次元に並設した竹製フィルター２０が設けられている。更に、含水フィルター１９には臭気を除斥するための香料も加えられている。
【００１９】
前記した含水フィルター１９はパッケージ（マガジン）とされ、必要に応じて交換可能なものとされ、その作業のため、床板１０の一部を開閉もしくは取り外し可能としてある。また、このパッケージには竹製フィルター２０までも抱合させることも可能である。尚、２１は排気の流通を遮断する仕切り板である。
【００２０】
排気室１４には含水フィルター１９の二次側に排出口２２が形成され、その排出口２２の二次側には前面にフィルター２３ａを備えた排気口２３が形成されている。
【００２１】
本実施例に係る喫煙ボックスは上記のように構成されており、ボックス本体１内には上方から外気が吸引導入されるため、気圧が上昇し、シロッコファン１６の作用に加えてより一層ボックス本体１内の空気の流通性を向上させる。排気室１４内に導入された煙が混在した空気は竹製フィルター２０でヤニを除去され、含水フィルター１９でニコチン成分を溶解し、加えて脱臭した状態で外気中へ排出されるため、ボックス本体１の周域の環境はクリーンな状態を保持することができることとなっている。また、カバー８内にエアコン装置を付設し、冷暖房を行なうことも勿論可能となる。
【産業上の利用可能性】
【００２２】
本発明に係る喫煙ボックスは上述のように構成されている。その構造は内部の空気を完璧に浄化して外部へ排出するものであるので、この喫煙ボックスに限らず、調理室や化学実験室、各種工場等にも規模を拡大して応用実施することが可能である。
【図面の簡単な説明】
【００２３】
【図１】本発明を実施した喫煙ボックスを示す正面図である。
【図２】天面部分を示す平面図である。
【図３】断面図である。
【図４】ボックス本体内の断面平面図である。
【図５】ボックス本体内の縦断面図である。
【図６】下方部分の平面図である。
【符号の説明】
【００２４】
１      ボックス本体
２      開閉扉
３      天板
４      吸気ファン
５      導入筒
６      窓孔
７      拡散板
８      カバー
９      吸気口
９ａ    仕切り板
９ｂ    フィルター
１０    床板
１１    灰皿
１２    テーブル
１２ａ  支持体
１３    椅子
１３ａ  支持体
１４    排気室
１４ａ  受入部
１５    受入口
１５ａ  フィルター
１６    シロッコファン
１７    モータ
１８    仕切りガイド板
１９    含水フィルター
２０    竹製フィルター
２１    仕切り板
２２    排出口
２３    排気口
２３ａ  フィルター
【図１】
2007182723.tif 000003
【図２】
2007182723.tif 000004
【図３】
2007182723.tif 000005
【図４】
2007182723.tif 000006
【図５】
2007182723.tif 000007
【図６】
2007182723.tif 000008